(57)【要約】【解決手段】大箱折り畳みコンテナーＣｂの長側壁２の厚さｔ１を、それぞれ同じ厚さである大箱折り畳みコンテナーの短側壁３や半箱折り畳みコンテナーＣｓの長側壁２０や短側壁３０より、所定の厚さ厚くするとともに、大箱折り畳みコンテナーの長側壁の厚さを厚くした分だけ、大箱折り畳みコンテナーの短辺側載置ブロック１ｂ１の嵌合深さｄ１を、浅く構成した大箱及び半箱折り畳みコンテナーの組み合わせモジュールに関するものである。【効果】大箱及び半箱折り畳みコンテナーの組み合わせモジュールを構成する大箱折り畳みコンテナーの全体高さと半箱折り畳みコンテナーの全体高さ及び大箱折り畳みコンテナーの底部の高さと半箱折り畳みコンテナーの底部の高さを、それぞれ同じ高さに保ったまま、大箱折り畳みコンテナーの長側壁の厚さを厚くし、長側壁の強度及び剛性を高めることができる。【選択図】図１
2004314975.tif 000002
【特許請求の範囲】
【請求項１】
箱型に組み立てられた状態及び折り畳まれた状態において、それぞれ同じ高さに形成された大箱折り畳みコンテナーと半箱折り畳みコンテナーとからなる大箱及び半箱折り畳みコンテナーの組み合わせモジュールにおいて、大箱折り畳みコンテナーの長側壁の厚さを、それぞれ同じ厚さである大箱折り畳みコンテナーの短側壁や半箱折り畳みコンテナーの長側壁や短側壁より、所定の厚さ厚くするとともに、大箱折り畳みコンテナーの長側壁の厚さを厚くした分だけ、大箱折り畳みコンテナーの短辺側載置ブロックの嵌合深さを、浅く構成したことを特徴とする大箱及び半箱折り畳みコンテナーの組み合わせモジュール。
【発明の詳細な説明】
【０００１】
【発明の属する技術分野】
本発明は、底部を囲むように配設された側壁が、底部に重なるように折り畳むことができる折り畳みコンテナーに関するものであり、特に、大箱折り畳みコンテナーと半箱折り畳みコンテナーとからなる大箱及び半箱折り畳みコンテナーの組み合わせモジュールに関するものである。
【０００２】
【従来の技術】
折り畳みコンテナーの構成部材は、１個の底部、２個の長側壁及び２個の短側壁であり、これら構成部材としての底部、長側壁及び短側壁は、それぞれ、合成樹脂で一体成形されている。そして、底部の長辺部に、長側壁をヒンジ連結し、また、底部の短辺部に、短側壁をヒンジ連結することにより、折り畳みコンテナーが組み立てられることになる。
【０００３】
従来、大きさの異なる各種折り畳みコンテナーの構成部材を共通化することが試みられており、その一例として、高さの異なる各種折り畳みコンテナーにおいて、底部を共通化した折り畳みコンテナーが知られている。
【０００４】
上述した折り畳みコンテナーは、特開２００１−３３５０３０号公報に開示されている。
【０００５】
【発明が解決しようとする課題】
次に、図５〜図１５を用いて、本発明が解決しようとする課題について説明する。
【０００６】
従来より、箱型に組み立てられた１つの大きな折り畳みコンテナー（以下、単に、大箱折り畳みコンテナーという。）の上に、箱型に組み立てられた２個の小さな折り畳みコンテナー（以下、単に、半箱折り畳みコンテナーという。）を段積みすることが行われている。半箱折り畳みコンテナーの底部は、大箱折り畳みコンテナーの底部を、底部の短辺に沿って二等分した大きさとほぼ同じ大きさに形成されており、また、半箱折り畳みコンテナーの長側壁は、大箱折り畳みコンテナーの短側壁とほぼ同じ大きさに形成されており、更に、半箱折り畳みコンテナーの短側壁は、大箱折り畳みコンテナーの長側壁を、左右に二等分した大きさとほぼ同じ大きさに形成されている。
【０００７】
図５には、大箱折り畳みコンテナーＣｂが示されており、大箱折り畳みコンテナーＣｂは、底部１と、底部１の長辺側土手部１ａにヒンジ連結された長側壁２と、底部１の短辺側土手部１ｂにヒンジ連結された短側壁３とを有している。短辺側土手部１ｂは、長辺側土手部１ａより高く形成されているとともに、短辺側土手部１ｂの両端部には、短辺側載置ブロック１ｂ１が形成されており、短辺側載置ブロック１ｂ１には、嵌合凹部１ｂ１’が形成されている。また、長辺側土手部１ａの中央部には、短辺側土手部１ｂと同じ高さの長辺側載置ブロック１ｃが形成されている。なお、長側壁２の下部中央部には、長側壁２をほぼ垂直に立てた際に、長辺側載置ブロック１ｃが嵌合される嵌合凹部２ａが形成されている。
【０００８】
図５に示されている箱型に組み立てられた状態から、図６に示されているように、長側壁１を、底部１に重なるように倒し、次いで、短側壁２を、底部１に重ねられた長側壁１の上に重なるように倒すことにより、図７に示されているように、高さの低いコンパクトな状態に折り畳むことができるように構成されている。
【０００９】
底部１の裏面１ｄには嵌合凸部１ｅが形成されており、箱型に組み立てられた大箱折り畳みコンテナーＣｂ同士を段積みした際には、上に位置する大箱折り畳みコンテナーＣｂの底部１の裏面１ｄに形成された嵌合凸部１ｅが、下に位置する大箱折り畳みコンテナーＣｂの開口部に嵌合されるとともに、上に位置する大箱折り畳みコンテナーＣｂの底部１の嵌合凸部１ｅの周囲に位置する裏面１ｄが、下に位置する大箱折り畳みコンテナーＣｂの長側壁２の上端面及び短側壁３の上端面に載置されるように構成されている。このように、上に位置する大箱折り畳みコンテナーＣｂの底部１の裏面１ｄに形成された嵌合凸部１ｅが、下に位置する大箱折り畳みコンテナーＣｂの開口部に嵌合されているので、上に位置する大箱折り畳みコンテナーＣｂが、下に位置する大箱折り畳みコンテナーＣｂに対して、水平方向に移動するようなことが抑制されるので、従って、安定した状態で、多数の箱型に組み立てられた大箱折り畳みコンテナーＣｂを段積みすることができる。
【００１０】
また、折り畳まれた状態の大箱折り畳みコンテナーＣｂ同士を段積みした際には、上に位置する大箱折り畳みコンテナーＣｂの底部１の裏面１ｄに形成された嵌合凸部１ｅの角部部分が、下に位置する大箱折り畳みコンテナーＣｂの短辺側載置ブロック１ｂ１に形成された嵌合凹部１ｂ１’に嵌合されるとともに、上に位置する大箱折り畳みコンテナーＣｂの底部１の嵌合凸部１ｅの周囲に位置する裏面１ｄが、下に位置する大箱折り畳みコンテナーＣｂの短辺側載置ブロック１ｂ１の上面及び長辺側載置ブロック１ｃの上面に載置されるように構成されている。このように、上に位置する大箱折り畳みコンテナーＣｂの底部１の裏面１ｄに形成された嵌合凸部１ｅが、下に位置する大箱折り畳みコンテナーＣｂの短辺側載置ブロック１ｂ１に形成された嵌合凹部１ｂ１’に嵌合されているとともに、長辺側載置ブロック１ｃの内側に接近して配置されているので、上に位置する大箱折り畳みコンテナーＣｂが、下に位置する大箱折り畳みコンテナーＣｂに対して、水平方向に移動するようなことが抑制されるので、従って、安定した状態で、多数の折り畳まれた状態の大箱折り畳みコンテナーＣｂを段積みすることができる。なお、大箱折り畳みコンテナーＣｂが、折り畳まれた状態においては、倒され状態の長側壁２と短側壁３とは、底部１の短辺側土手部１ｂの嵌合凹部１ｂ１’の底面より下方に位置しており、同様に、半箱折り畳みコンテナーＣｓが、折り畳まれた状態においても、倒され状態の長側壁２０と短側壁３０とは、底部１０の長辺側土手部１０ａの嵌合凹部１０ａ１’の底面より下方に位置している。
【００１１】
上述したように、折り畳まれた状態の大箱折り畳みコンテナーＣｂの短辺側載置ブロック１ｂ１に形成された嵌合凹部１ｂ１’に、上に位置する大箱折り畳みコンテナーＣｂの底部１に形成された嵌合凸部１ｅの角部が嵌合されるので、短辺側載置ブロック１ｂ１に形成された嵌合凹部１ｂ１’の深さ（短辺側載置ブロック１ｂ１の上面から嵌合凹部１ｂ１’の底面までの距離）ｄ１を、嵌合深さと称する。同様に、折り畳まれた状態の半箱折り畳みコンテナーＣｓの載置ブロック１０ａ１に形成された嵌合凹部１０ａ１’に、上に位置する半箱折り畳みコンテナーＣｓの底部１０に形成された嵌合凸部１０ｅの角部が嵌合されるので、載置ブロック１０ａ１に形成された嵌合凹部１０ａ１’の深さ（載置ブロック１０ａ１の上面から嵌合凹部１０ａ１’の底面までの距離）ｄ２を、嵌合深さと称する。そして、大箱折り畳みコンテナーＣｂの短辺側載置ブロック１ｂ１に形成された嵌合凹部１ｂ１’の嵌合深さｄ１と、半箱折り畳みコンテナーＣｓの載置ブロック１０ａ１に形成された嵌合凹部１０ａ１’の嵌合深さｄ２とは、同じ深さに形成されている。
【００１２】
図１０には、半箱折り畳みコンテナーＣｓが示されており、半箱折り畳みコンテナーＣｓも、底部１０と、底部１０の長辺側土手部１０ａにヒンジ連結された長側壁２０と、底部１０の短辺側土手部１０ｂにヒンジ連結された短側壁３０とを有している。長辺側土手部１０ａは、短辺側土手部１０ｂより高く形成されているとともに、長辺側土手部１０ａの両端部には、載置ブロック１０ａ１が形成されており、載置ブロック１０ａ１には、嵌合凹部１０ａ１’が形成されている。
【００１３】
図１０に示されている箱型に組み立てられた状態から、図１１に示されているように、短側壁３０を、底部１０に重なるように倒し、次いで、長側壁２０を、底部１０に重ねられた短側壁３０の上に重なるように倒すことにより、図１２に示されているように、高さの低いコンパクトな状態に折り畳むことができるように構成されている。
【００１４】
半箱折り畳みコンテナーＣｓも、大箱折り畳みコンテナーＣｂと同様に、箱型に組み立てられた半箱折り畳みコンテナーＣｓ同士を段積みした際には、上に位置する半箱折り畳みコンテナーＣｓの底部１０の裏面１０ｄに形成された嵌合凸部１０ｅが、下に位置する半箱折り畳みコンテナーＣｓの開口部に嵌合されるとともに、上に位置する半箱折り畳みコンテナーＣｓの底部１０の嵌合凸部１０ｅの周囲に位置する裏面１０ｄが、下に位置する半箱折り畳みコンテナーＣｓの長側壁２０の上端面及び短側壁３０の上端面に載置されるように構成されている。
【００１５】
また、折り畳まれた状態の半箱折り畳みコンテナーＣｓ同士を段積みした際には、上に位置する半箱折り畳みコンテナーＣｓの底部１０の裏面１０ｄに形成された嵌合凸部１０ｅの角部部分が、下に位置する半箱折り畳みコンテナーＣｓの載置ブロック１０ａ１に形成された嵌合凹部１０ａ１’に嵌合されるとともに、上に位置する半箱折り畳みコンテナーＣｓの底部１０の嵌合凸部１０ｅの周囲に位置する裏面１０ｄが、下に位置する半箱折り畳みコンテナーＣｓの載置ブロック１０ａ１の上面に載置されるように構成されている。
【００１６】
半箱折り畳みコンテナーＣｓの底部１０は、大箱折り畳みコンテナーＣｂの底部１を、底部１の短辺側土手部１ｂに沿って二等分した大きさとほぼ同じ大きさに形成されている。また、大箱折り畳みコンテナーＣｂの底部１の高さ（嵌合凸部１ｅの裏面から短辺側土手部１ｂの上端、換言すれば、短辺側載置ブロック１ｂ１の上面までの距離）ｈ１と、半箱折り畳みコンテナーＣｓの底部１０の高さ（嵌合凸部１０ｅの裏面から長辺側土手部１０ａの上端、換言すれば、載置ブロック１０ａ１の上面までの距離）ｈ１０とは、同じに高さに形成されている。
【００１７】
大箱折り畳みコンテナーＣｂを構成する長側壁２の厚さ（長側壁２の内面２ｂから、長側壁２の外面２ｃに形成されている上端フランジ２ｄや補強リブ２ｅや下端フランジ２ｆの先端までの距離）ｔ１と、短側壁３の厚さ（短側壁３の内面３ｂから、短側壁３の外面３ｃに形成されている上端フランジ３ｄや補強リブ３ｅ補強リブ３ｅや下端フランジ３ｆの先端までの距離）ｔ２とは、同じ厚さに形成されている。同様に、半箱折り畳みコンテナーＣｓを構成する長側壁２０の厚さ（長側壁２０の内面２０ｂから長側壁２０の外面２０ｃに形成されている上端フランジ２０ｄや補強リブ２０ｅや下端フランジ２０ｆの先端までの距離）ｔ１０と、短側壁３０の厚さ（短側壁３０の内面３０ｂから短側壁３０の外面３０ｃに形成されている上端フランジ３０ｄや補強リブ３０ｅや下端フランジ３０ｆの先端までの距離）ｔ２０とは、同じ厚さに形成されている。更に、大箱折り畳みコンテナーＣｂを構成する長側壁２の厚さｔ１と短側壁３の厚さｔ２及び半箱折り畳みコンテナーＣｓを構成する長側壁２０の厚さｔ１０と短側壁３０の厚さｔ２０は、全て、同じ厚さに形成されている。
【００１８】
大箱折り畳みコンテナーＣｂを構成する長側壁２の高さ（上端フランジ２ｄの上端面から、長辺側土手部１ａに接近或いは載置される下端フランジ２ｆの裏面までの距離）ｈ２と、半箱折り畳みコンテナーＣｓを構成する短側壁３０の高さ（上端フランジ３０ｄの上端面から、短辺側土手部１０ｂに接近或いは載置される下端フランジ３０ｆの裏面までの距離）ｈ３０とは、同じ高さに形成されている。また、大箱折り畳みコンテナーＣｂを構成する短側壁３の高さ（上端フランジ３ｄの上端面から、短辺側土手部１ｂに接近或いは載置される下端フランジ３ｆの裏面までの距離）ｈ３と、半箱折り畳みコンテナーＣｓを構成する長側壁２０の高さ（上端フランジ２０ｄの上端面から、長辺側土手部１０ａに接近或いは載置される下端フランジ２０ｆの裏面までの距離）ｈ２０とは、同じ高さに形成されている。
【００１９】
上述したように、大箱折り畳みコンテナーＣｂの底部１の高さｈ１と半箱折り畳みコンテナーＣｓの底部１の高さｈ１０とは同じ高さであり、また、大箱折り畳みコンテナーＣｂを構成する長側壁２の高さｈ２と半箱折り畳みコンテナーＣｓを構成する短側壁３０の高さｈ３０とは同じ高さであり、更に、大箱折り畳みコンテナーＣｂを構成する短側壁３の高さｈ３と半箱折り畳みコンテナーＣｓを構成する長側壁２０の高さｈ２０とは同じ高さに形成されているので、箱型に組み立てられた状態の大箱折り畳みコンテナーＣｂの高さ（底部１の高さｈ１＋短側壁３の高さｈ３）Ｈｂと半箱折り畳みコンテナーＣｓの高さ（底部１０の高さｈ１０＋長側壁２０の高さｈ２０）Ｈｓとは、同じ高さになる。
【００２０】
上述したような構成を有する大箱折り畳みコンテナーＣｂと半箱折り畳みコンテナーＣｓにおいては、大箱折り畳みコンテナーＣｂの短側壁３と半箱折り畳みコンテナーＣｓの長側壁２０とは、同一に構成されているので、大箱折り畳みコンテナーＣｂと半箱折り畳みコンテナーＣｓとの構成部材が少なくて済む。
【００２１】
大箱及び半箱折り畳みコンテナーの組み合わせモジュールにおいては、図１５に示されているように、下に位置する１個の大箱折り畳みコンテナーＣｂの上に、大箱折り畳みコンテナーＣｂの短側壁３の上方に、半箱折り畳みコンテナーＣｓの長側壁２０が位置し、また、大箱折り畳みコンテナーＣｂの長側壁２の上方に、半箱折り畳みコンテナーＣｓの短側壁３０が位置するように、２個の半箱折り畳みコンテナーＣｓが載置されるように構成されている。
【００２２】
ところで、大箱折り畳みコンテナーＣｂを構成する長側壁２は、短側壁３や半箱折り畳みコンテナーＣｓを構成する長側壁２０や短側壁３０に比べ、横に長く、その面積も大きいので、強度的に弱く湾曲し易い。そこで、大箱折り畳みコンテナーＣｂの長側壁２の厚さを、従来のｔ１より、α分だけ厚くして、その厚さｔ１’を（ｔ１＋α）としている。大箱折り畳みコンテナーＣｂの短側壁３の厚さｔ２や嵌合深さｄ１を変更せずに、長側壁２の厚さを、α分だけ厚くしようとすると、底部１の高さ（嵌合凸部１ｅの裏面から短辺側土手部１ｂの上端までの距離）ｈ１’を、上述した高さｈ１より、α分だけ高くしなければならない。そして、大箱及び半箱折り畳みコンテナーの組み合わせモジュールにおいては、箱型に組み立てられた大箱折り畳みコンテナーＣｂの高さＨｂと箱型に組み立てられた半箱折り畳みコンテナーＣｓの高さＨｓとは同じ高さに形成されているので、大箱折り畳みコンテナーＣｂの短辺側土手部１ｂに接近或いは当接するように配置される短側壁３の高さｈ２を、α分だけ低くしなければならない。このように、α分だけ低くなった短側壁３を、大箱折り畳みコンテナーＣｂの短側壁３と半箱折り畳みコンテナーＣｓの長側壁２０との共通化のために、半箱折り畳みコンテナーＣｓの長側壁２０として使用すると、箱型に組み立てられた半箱折り畳みコンテナーＣｓの高さＨｓが、α分だけ低くなってしまうという問題が発生する。また、大箱折り畳みコンテナーＣｂを折り畳んだ状態の高さ、即ち、大箱折り畳みコンテナーＣｂの底部１の高さｈ１と、半箱折り畳みコンテナーＣｓを折り畳んだ状態の高さ、即ち、半箱折り畳みコンテナーＣｓの底部１０の高さｈ１０とが異なることもなる。
【００２３】
本発明の目的は、上述した従来の大箱及び半箱折り畳みコンテナーの組み合わせモジュールが有する課題を解決することにある。
【００２４】
【課題を解決するための手段】
本発明は、上述した目的を達成するために、箱型に組み立てられた状態及び折り畳まれた状態において、それぞれ同じ高さに形成された大箱折り畳みコンテナーと半箱折り畳みコンテナーとからなる大箱及び半箱折り畳みコンテナーの組み合わせモジュールにおいて、大箱折り畳みコンテナーの長側壁の厚さを、それぞれ同じ厚さである大箱折り畳みコンテナーの短側壁や半箱折り畳みコンテナーの長側壁や短側壁より、所定の厚さ厚くするとともに、大箱折り畳みコンテナーの長側壁の厚さを厚くした分だけ、大箱折り畳みコンテナーの短辺側載置ブロックの嵌合深さを、浅く構成したものである。
【００２５】
【実施例】
以下に、図１〜図４を用いて、本発明の実施例について説明するが、本発明の趣旨を越えない限り何ら、本実施例に限定されるものでない。
【００２６】
なお、本発明の大箱及び半箱折り畳みコンテナーの組み合わせモジュールを構成する大箱折り畳みコンテナーと半箱折り畳みコンテナーにおいて、半箱折り畳みコンテナーは、上述した従来の大箱及び半箱折り畳みコンテナーの組み合わせモジュールを構成する半箱折り畳みコンテナーと同じであるので、その詳細な説明は省略するとともに、本発明の大箱及び半箱折り畳みコンテナーの組み合わせモジュールを構成する大箱折り畳みコンテナーについても、従来の大箱及び半箱折り畳みコンテナーの組み合わせモジュールを構成する大箱折り畳みコンテナーとほぼ同じ構成を有しており、従って、同じ構成部材については、同じ符号を使用するとともに、その詳細な説明は省略する。
【００２７】
本発明の大箱及び半箱折り畳みコンテナーの組み合わせモジュールを構成する大箱折り畳みコンテナーＣｂ’においては、上述した従来の大箱及び半箱折り畳みコンテナーの組み合わせモジュールを構成する大箱折り畳みコンテナーＣｂと同様に、長側壁２の厚さｔ１’が、上述した従来の大箱及び半箱折り畳みコンテナーの組み合わせモジュールを構成する大箱折り畳みコンテナーＣｂの長側壁２の厚さｔ１より、α分だけ厚く形成されており、従って、その厚さｔ１’は、ｔ１＋αである。
【００２８】
従って、従来の大箱折り畳みコンテナーＣｂにおいては、短側壁３の厚さｔ２や短辺側載置ブロック１ｂ１に形成された嵌合凹部１ｂ１’の深さ、即ち、嵌合深さｄ１を変更せずに、長側壁２の厚さを、α分だけ厚くしているために、底部１の高さ（嵌合凸部１ｅの裏面から短辺側土手部１ｂの上端までの距離）ｈ１’が、α分だけ高い（ｈ１＋α）であった。
【００２９】
本発明においては、上述した底部１の高さｈ１’を、短側壁３の厚さｔ２や短辺側載置ブロック１ｂ１に形成された嵌合凹部１ｂ１’の深さ、即ち、嵌合深さｄ１’を、従来の嵌合深さｄ１よりα分だけ浅くして、（ｄ１−α）とすることにより、従来の底部１の高さｈ１と同じ高さになるように構成されている。
【００３０】
上述したように、大箱折り畳みコンテナーＣｂの長側壁２の厚さを、それぞれ同じ厚さである大箱折り畳みコンテナーＣｂの短側壁３や半箱折り畳みコンテナーＣｓの長側壁２０や短側壁３０より、所定の厚さ厚くした分だけ、大箱折り畳みコンテナーＣｂの短辺側載置ブロック１ｂ１に形成された嵌合凹部１ｂ１’の深さ、即ち、嵌合深さｄ１’を、浅く構成したことにより、大箱折り畳みコンテナーＣｂを構成する短側壁３と半箱折り畳みコンテナーＣｓを構成する長側壁２０とを、共通化することができる。
【００３１】
従って、大箱及び半箱折り畳みコンテナーの組み合わせモジュールを構成する大箱折り畳みコンテナーＣｂの全体高さＨｂと半箱折り畳みコンテナーＣｓの全体高さＨｓ及び大箱折り畳みコンテナーＣｂの底部１の高さｈ１と半箱折り畳みコンテナーＣｓの底部１０の高さｈ１０を、それぞれ同じ高さに保ったまま、大箱折り畳みコンテナーＣｂの長側壁２の厚さを厚くし、長側壁２の強度及び剛性を高めることができる。
【００３２】
【発明の効果】
本発明は、以上説明した構成を有しているので、以下に記載する効果を奏するものである。
【００３３】
大箱折り畳みコンテナーの長側壁の厚さを、それぞれ同じ厚さである大箱折り畳みコンテナーの短側壁や半箱折り畳みコンテナーの長側壁や短側壁より、所定の厚さ厚くするとともに、大箱折り畳みコンテナーの長側壁の厚さを厚くした分だけ、大箱折り畳みコンテナーの短辺側載置ブロックの嵌合深さを、浅く構成したので、大箱及び半箱折り畳みコンテナーの組み合わせモジュールを構成する大箱折り畳みコンテナーの全体高さと半箱折り畳みコンテナーの全体高さ及び大箱折り畳みコンテナーの底部の高さと半箱折り畳みコンテナーの底部の高さを、それぞれ同じ高さに保ったまま、大箱折り畳みコンテナーの長側壁の厚さを厚くし、長側壁の強度及び剛性を高めることができる。
【図面の簡単な説明】
【図１】図１は、本発明の大箱及び半箱折り畳みコンテナーの組み合わせモジュールを構成する大箱折り畳みコンテナーが箱型に組み立てられた状態の斜視図である。
【図２】図２は、図１に示されている大箱折り畳みコンテナーが折り畳まれた状態の短側壁側から見た正面図である。
【図３】図３は、図１に示されている大箱折り畳みコンテナーが折り畳まれた状態の長側壁側から見た正面図である。
【図４】図４は、図１に示されている大箱折り畳みコンテナーの短辺側載置ブロック等の一部断面を含む斜視図である。
【図５】図５は、従来の大箱及び半箱折り畳みコンテナーの組み合わせモジュールを構成する大箱折り畳みコンテナーが箱型に組み立てられた状態の斜視図である。
【図６】図６は、図５に示されている大箱折り畳みコンテナーの組み立て途中或いは折り畳み途中の斜視図である。
【図７】図７は、図５に示されている大箱折り畳みコンテナーが折り畳まれた状態の斜視図である。
【図８】図８は、図５に示されている箱型に組み立てられた状態の大箱折り畳みコンテナーの短側壁側から見た正面図である。
【図９】図９は、図５に示されている大箱折り畳みコンテナーが折り畳まれた状態の短側壁側から見た正面図である。
【図１０】図１０は、本発明及び従来の大箱及び半箱折り畳みコンテナーの組み合わせモジュールを構成する半箱折り畳みコンテナーが箱型に組み立てられた状態の斜視図である。
【図１１】図１１は、図１０に示されている半箱折り畳みコンテナーの組み立て途中或いは折り畳み途中の斜視図である。
【図１２】図１２は、図１０に示されている半箱折り畳みコンテナーが折り畳まれた状態の斜視図である。
【図１３】図１３は、図１０に示されている箱型に組み立てられた状態の半箱折り畳みコンテナーの長側壁側から見た正面図である。
【図１４】図１４は、図９の部分拡大正面図である。
【図１５】図１５は、箱型に組み立てられた大箱折り畳みコンテナーに、２個の箱型に組み立てられた半箱折り畳みコンテナーが段積みされた状態の斜視図である。
【符号の説明】
Ｃｂ・・・・・・・・・・・・・・大箱折り畳みコンテナー
Ｃｓ・・・・・・・・・・・・・・半箱折り畳みコンテナー
１、１０・・・・・・・・・・・・底部
１ｂ１・・・・・・・・・・・・・短辺側載置ブロック
１ｅ、１０ｅ・・・・・・・・・・嵌合凸部
１０ａ１・・・・・・・・・・・・載置ブロック
２、２０・・・・・・・・・・・・長側壁
３、３０・・・・・・・・・・・・短側壁
【図１】
2004314975.tif 000003
【図２】
2004314975.tif 000004
【図３】
2004314975.tif 000005
【図４】
2004314975.tif 000006
【図５】
2004314975.tif 000007
【図６】
2004314975.tif 000008
【図７】
2004314975.tif 000009
【図８】
2004314975.tif 000010
【図９】
2004314975.tif 000011
【図１０】
2004314975.tif 000012
【図１１】
2004314975.tif 000013
【図１２】
2004314975.tif 000014
【図１３】
2004314975.tif 000015
【図１４】
2004314975.tif 000016
【図１５】
2004314975.tif 000017